(57)【要約】      （修正有）【課題】一の画像形成装置に対してカスタマイズの設定を行うだけで、ネットワークに接続されている他の全ての画像形成装置の設定を可能にする。【解決手段】操作パネル画面９のカスタマイズを行うことができる画像形成装置１であって、パネル画面設計情報をカスタマイズし、送信元識別情報とユーザ情報とパネルカスタマイズデータとを含むパネルカスタマイズ情報を、通信部２はサーバ、ユーザ端末又は他の複数の前記画像形成装置１から受信する。パネルカスタマイズ情報制御部４は、送信元判別部３が送信元識別情報により判別した送信元の種類に応じて制御を行い、パネルカスタマイズ情報をパネルカスタマイズ情報記憶部５に記憶させる。そして、操作パネル画面制御部７は、記憶したパネルカスタマイズ情報と、標準画面の設計情報とに基づき、操作パネル画面９の構成と操作キーの構成とを制御する。【選択図】図１
2008124973.tif 000002
【特許請求の範囲】
【請求項１】
操作パネル画面のカスタマイズを行うことができる画像形成装置であって、
ネットワークに接続されたサーバ、ユーザ端末及び他の複数の前記画像形成装置とデータの通信を行う通信部と、
前記操作パネル画面の標準画面の設計情報を記憶するパネル画面設計情報記憶部と、
送信元識別情報とユーザ情報とパネルカスタマイズデータとを含むパネルカスタマイズ情報を記憶するパネルカスタマイズ情報記憶部と、
前記通信部を介して受信した前記パネルカスタマイズ情報の前記送信元識別情報により送信元を判別する送信元判別部と、
前記送信元判別部が判別した送信元の種類に応じて制御を行い、前記通信部を介して受信した前記パネルカスタマイズ情報を前記パネルカスタマイズ情報記憶部に記憶させるパネルカスタマイズ情報制御部と、
前記パネルカスタマイズ情報記憶部が記憶した前記パネルカスタマイズ情報と、前記標準画面の設計情報とに基づき、前記操作パネル画面の構成と操作キーの構成とを制御する操作パネル画面制御部と、
を備えることを特徴とする画像形成装置。
【請求項２】
請求項１に記載の画像形成装置であって、
操作パネルの信号に基づいて、前記通信部を介して受信した前記パネルカスタマイズ情報を一時記憶するパネルカスタマイズ情報一時記憶部をさらに備え、
前記パネルカスタマイズ情報制御部は、前記操作パネルの信号に基づいて、前記パネルカスタマイズ情報を前記パネルカスタマイズ情報一時記憶部に記憶させ、
前記操作パネル画面制御部は、前記パネルカスタマイズ情報一時記憶部が記憶した前記パネルカスタマイズ情報を前記パネルカスタマイズ情報記憶部に記憶させることを特徴とする画像形成装置。
【請求項３】
請求項１又は２に記載の画像形成装置であって、
グループ名データの入力を受付けるグループ名データ受付部と、
前記入力をされた前記グループ名データを記憶するグループ名データ記憶部と、をさらに備え、
前記ユーザ情報は、グループ名と画像形成装置のモデル種別とを含み、
前記送信元判別部は、前記通信部を介して受信した前記パネルカスタマイズ情報の前記グループ名のデータと、前記グループ名データ記憶部が記憶した前記グループ名データとを比較して同一であるか否かを判別することを特徴とする画像形成装置。
【請求項４】
請求項１乃至３に記載の画像形成装置であって、
前記サーバが前記パネルカスタマイズ情報を有し、
前記通信部を介して前記サーバから受信した、前記パネルカスタマイズ情報を設定更新した旨の設定更新通知メッセージに基づいて、前記パネルカスタマイズ情報制御部は、前記パネルカスタマイズ情報を前記パネルカスタマイズ情報記憶部に記憶させることを特徴とする画像形成装置。
【請求項５】
請求項１乃至３に記載の画像形成装置であって、
前記通信部を介して受信する、パネルカスタマイズ情報の設定更新を開始する旨の設定更新開始メッセージ、又は、パネルカスタマイズ情報の設定更新を終了した旨の設定更新終了メッセージ、を記憶する設定更新メッセージ記憶部と、をさらに備え、
前記画像形成装置が前記パネルカスタマイズ情報を有し、
一の画像形成装置が前記パネルカスタマイズ情報の設定更新をすると、
他の画像形成装置は、
前記設定更新開始メッセージと、前記送信元判別部の判別とに応じて、当該画像形成装置での前記設定更新を禁止し、
前記設定更新終了メッセージに応じて、前記設定更新の禁止を解除することを特徴とする画像形成装置。
【請求項６】
請求項１乃至３に記載の画像形成装置であって、
前記ユーザ端末を認証するユーザ認証データを記憶するユーザ認証データ記憶部と、
前記ユーザ認証データと対を成す前記パネルカスタマイズ情報を、前記パネルカスタマイズ情報記憶部とは別に記憶するパーソナルパネルカスタマイズ情報記憶部と、
複数の前記ユーザ認証データのうち、一のユーザ認証データを記憶するカレントユーザ認証データ記憶部と、
前記カレントユーザ認証データ記憶部に記憶するユーザ認証データを指示により切替えるカレントユーザ認証データ切替部と、をさらに備え、
前記ユーザ情報は、ユーザ認証データをさらに含み、
前記ユーザ端末は前記パネルカスタマイズ情報を有し、
前記パネルカスタマイズ情報制御部は、前記通信部を介し受信した前記パネルカスタマイズ情報の前記ユーザ認証データに基づき、前記パネルカスタマイズ情報を前記パーソナルパネルカスタマイズ情報記憶部に記憶させ、
前記カレントユーザ認証データ切替部は、指示に応じて一のユーザ認証データをカレントユーザ認証データ記憶部に記憶させ、
前記操作パネル画面制御部は、前記カレントユーザ認証データ記憶部が記憶する前記ユーザ認証データと対を成す、前記パーソナルパネルカスタマイズ情報記憶部が記憶した前記パネルカスタマイズ情報と、前記標準画面の設計情報とに基づき、前記操作パネル画面の構成と操作キーの構成とを制御することを特徴とする画像形成装置。
【請求項７】
請求項６に記載の画像形成装置であって、
当該画像形成装置の電源が入れられた旨を通知する電源開始メッセージを記憶する電源開始メッセージ記憶部と、
前記ユーザ端末のアドレスを記憶するユーザ端末アドレス記憶部と、をさらに備え、
前記画像形成装置は、
当該画像形成装置が属するグループのユーザ端末に対し、前記電源開始メッセージを送信し、
前記電源開始メッセージを送信したことに応じて、当該ユーザ端末のアドレス情報とユーザ認証データとを受信し、
当該ユーザ認証データが前記ユーザ認証データ記憶部が記憶するユーザ認証データと同一であれば、当該ユーザ端末のアドレス情報を前記ユーザ端末アドレス記憶部に記憶し、
前記ユーザ端末アドレス記憶部が記憶したユーザ端末のアドレス情報を基に、前記パネルカスタマイズ情報を、前記通信部を介して受信することを特徴とする画像形成装置。
【請求項８】
操作パネル画面のカスタマイズを行うことができる画像形成装置用プログラムであって、
通信部がネットワークに接続されたサーバ、ユーザ端末及び他の複数の画像形成装置とデータの通信を行うステップと、
パネル画面設計情報記憶部が、前記操作パネル画面の標準画面の設計情報を記憶するステップと、
送信元判別部が、前記通信部を介して受信した、送信元識別情報とユーザ情報とパネルカスタマイズデータとを含むパネルカスタマイズ情報の前記送信元識別情報により送信元を判別するステップと、
パネルカスタマイズ情報制御部は、前記送信元判別部が判別した送信元の種類に応じて制御を行い、前記通信部を介して受信した前記パネルカスタマイズ情報をパネルカスタマイズ情報記憶部に記憶させるステップと、
操作パネル画面制御部は、前記パネルカスタマイズ情報記憶部が記憶した前記パネルカスタマイズ情報と、前記標準画面の設計情報とに基づき、前記操作パネル画面の構成と操作キーの構成とを制御するステップと、
を画像形成装置に実行させる画像形成装置用プログラム。
【請求項９】
操作パネル画面のカスタマイズを行うことができる方法であって、
通信部がネットワークに接続されたサーバ、ユーザ端末及び他の複数の画像形成装置とデータの通信を行うステップと、
パネル画面設計情報記憶部が、前記操作パネル画面の標準画面の設計情報を記憶するステップと、
送信元判別部が、前記通信部を介して受信した、送信元識別情報とユーザ情報とパネルカスタマイズデータとを含むパネルカスタマイズ情報の前記送信元識別情報により送信元を判別するステップと、
パネルカスタマイズ情報制御部は、前記送信元判別部が判別した送信元の種類に応じて制御を行い、前記通信部を介して受信した前記パネルカスタマイズ情報をパネルカスタマイズ情報記憶部に記憶させるステップと、
操作パネル画面制御部は、前記パネルカスタマイズ情報記憶部が記憶した前記パネルカスタマイズ情報と、前記標準画面の設計情報とに基づき、前記操作パネル画面の構成と操作キーの構成とを制御するステップと、
を含む方法。
【発明の詳細な説明】
【技術分野】
【０００１】
本発明は、画像形成装置に関する。さらに詳しくは、画像形成装置の操作パネルのカスタマイズに関する。
【背景技術】
【０００２】
従来より、画像形成装置（コピー、プリンタ、スキャン又はファクシミリの機能の内、少なくとも一つの機能を備えた装置。以下同じ）が標準装備する操作画面に対してカスタマイズ可能な画像形成装置が存在する（特許文献１参照）。これらの画像形成装置では、カスタマイズする必要がある画像形成装置において、カスタマイズ設定画面に必要な情報を操作員が入力し登録することによってカスタマイズを可能としている。
【特許文献１】特開２００６−１３３５２０号公報
【発明の開示】
【発明が解決しようとする課題】
【０００３】
しかしながら、画像形成装置が同じネットワークに複数存在するような場合に、全ての装置に対して一台ごとに操作員が同じ設定を行うのは大きな手間がかかる。特に、画像形成装置が多数存在する大規模なオフィスではこの課題の解決は不可欠である。そこで、一台の画像形成装置で行ったカスタマイズの設定をネットワークを介して他の画像形成装置にも反映させることが考えられる。
【０００４】
しかし、大規模なオフィスでは、例えば部署ごとに、頻繁に使用する機能等に違いがある。そうすると、一台の画像形成装置でカスタマイズの設定をしたからといって、全ての画像形成装置が同じ設定になっては、かえって困る事態となる。また、使用するモデル機種が異なる場合には、カスタマイズした設定を一律に反映させることはできない。さらに、ネットワークの構成において、カスタマイズ設定用のサーバが必ずしも存在するとは限らない。
【０００５】
したがって、複数の画像形成装置がネットワークに接続されている場合に、一台の画像形成装置でのカスタマイズの設定を他の画像形成装置に反映させるためには、部署やモデル機種、ネットワークの構成等をも考慮する必要がある。
【０００６】
本発明は、画像形成装置が標準装備する画面に対して一箇所でカスタマイズの設定を行うだけで、カスタマイズ設定に関連する、ネットワークに接続されている全ての画像形成装置の設定を行うことができることを目的とする。
【課題を解決するための手段】
【０００７】
本発明は以下のような解決手段を提供する。
【０００８】
（１）  操作パネル画面のカスタマイズを行うことができる画像形成装置であって、ネットワークに接続されたサーバ、ユーザ端末及び他の複数の前記画像形成装置とデータの通信を行う通信部と、前記操作パネル画面の標準画面の設計情報を記憶するパネル画面設計情報記憶部と、送信元識別情報とユーザ情報とパネルカスタマイズデータとを含むパネルカスタマイズ情報を記憶するパネルカスタマイズ情報記憶部と、前記通信部を介して受信した前記パネルカスタマイズ情報の前記送信元識別情報により送信元を判別する送信元判別部と、前記送信元判別部が判別した送信元の種類に応じて制御を行い、前記通信部を介して受信した前記パネルカスタマイズ情報を前記パネルカスタマイズ情報記憶部に記憶させるパネルカスタマイズ情報制御部と、前記パネルカスタマイズ情報記憶部が記憶した前記パネルカスタマイズ情報と、前記標準画面の設計情報とに基づき、前記操作パネル画面の構成と操作キーの構成とを制御する操作パネル画面制御部と、を備えることを特徴とする画像形成装置。
【０００９】
（１）に記載の画像形成装置によれば、操作パネル画面のカスタマイズを行うことができる画像形成装置であって、通信部はネットワークに接続されたサーバ、ユーザ端末及び他の複数の前記画像形成装置とデータの通信を行う。パネル画面設計情報記憶部は、操作パネル画面の標準画面の設計情報を記憶する。また、送信元判別部が、送信元識別情報とユーザ情報とパネルカスタマイズデータとを含むパネルカスタマイズ情報の送信元識別情報により判別した送信元の種類に応じて、パネルカスタマイズ情報制御部は、制御を行い、パネルカスタマイズ情報をパネルカスタマイズ情報記憶部に記憶させる。そして、操作パネル画面制御部は、パネルカスタマイズ情報記憶部が記憶したパネルカスタマイズ情報と、標準画面の設計情報とに基づき、操作パネル画面の構成と操作キーの構成とを制御する。
【００１０】
このことにより、本画像形成装置は、ネットワークに接続されているサーバ、ユーザ端末又は他の画像形成装置のいずれからであっても、パネルカスタマイズ情報を受信でき、受信したパネルカスタマイズ情報と、標準画面の設計情報とに基づき、操作パネル画面の構成と操作キーを制御する。したがって、サーバ、ユーザ端末又は他の画像形成装置のいずれか一箇所でパネルカスタマイズ情報を設定更新すれば、その情報を受信することにより、他の全ての画像形成装置の操作パネル画面の構成と操作キーの構成とを更新することができる。
【００１１】
（２）  （１）に記載の画像形成装置であって、操作パネルの信号に基づいて、前記通信部を介して受信した前記パネルカスタマイズ情報を一時記憶するパネルカスタマイズ情報一時記憶部をさらに備え、前記パネルカスタマイズ情報制御部は、前記操作パネルの信号に基づいて、前記パネルカスタマイズ情報を前記パネルカスタマイズ情報一時記憶部に記憶させ、前記操作パネル画面制御部は、前記パネルカスタマイズ情報一時記憶部が記憶した前記パネルカスタマイズ情報を前記パネルカスタマイズ情報記憶部に記憶させることを特徴とする画像形成装置。
【００１２】
（２）に記載の画像形成装置によれば、操作パネルの信号に基づいて、パネルカスタマイズ情報制御部は、パネルカスタマイズ情報をパネルカスタマイズ情報一時記憶部に記憶させ、操作パネル画面制御部がパネルカスタマイズ情報一時記憶部に記憶したパネルカスタマイズ情報をパネルカスタマイズ情報記憶部に記憶させる。
【００１３】
このことにより、本画像形成装置は、操作パネルの信号に基づいて、操作者が操作パネルを使用中であることを検知した場合は、サーバ、ユーザ端末又は他の画像形成装置から受信したパネルカスタマイズ情報を一時記憶し、操作パネルを操作し始めたときに操作パネル画面制御部が一時記憶したパネルカスタマイズ情報をパネルカスタマイズ情報記憶部に記憶させる。一方、操作パネル画面制御部は、パネルカスタマイズ情報記憶部に記憶したパネルカスタマイズ情報と、標準画面の設計情報とに基づき、操作パネル画面の構成と操作キーの構成とを制御するので、本画像形成装置は、操作パネルを操作中であっても、パネルカスタマイズ情報を受信することができる。
【００１４】
（３）  （１）又は（２）に記載の画像形成装置であって、グループ名データの入力を受付けるグループ名データ受付部と、前記入力をされた前記グループ名データを記憶するグループ名データ記憶部と、をさらに備え、前記ユーザ情報は、グループ名と画像形成装置のモデル種別とを含み、前記送信元判別部は、前記通信部を介して受信した前記パネルカスタマイズ情報の前記グループ名のデータと、前記グループ名データ記憶部が記憶したグループ名データとを比較して同一であることを判別することを特徴とする画像形成装置。
【００１５】
（３）に記載の画像形成装置によれば、グループ名データ受付部がグループ名データの入力を受付け、グループ名データ記憶部が入力をされたグループ名データを記憶する。そして、送信元判別部は、記憶されたグループ名のデータと、受信したパネルカスタマイズ情報のユーザ情報に含まれるグループ名データとを比較し、同一であることを判別する。
【００１６】
このことにより、本画像形成装置は、送信元判別部の判別に応じて、同一グループ名の場合にパネルカスタマイズ情報を記憶することができる。したがって、サーバ等に存在する複数のパネルカスタマイズ情報のうち、記憶されたグループ名と同一のグループ名のパネルカスタマイズ情報だけをパネルカスタマイズ情報記憶部に記憶するので、他のグループのパネルカスタマイズ情報により、パネルの設定が勝手に変更されることはない。また、サーバ等に安心して複数のパネルカスタマイズ情報を保存しておくことができ、グループ内で勝手に設定更新をすることができる。
【００１７】
（４）  （１）乃至（３）に記載の画像形成装置であって、前記サーバが前記パネルカスタマイズ情報を有し、前記通信部を介して前記サーバから受信した、前記パネルカスタマイズ情報を設定更新した旨の設定更新通知メッセージに基づいて、前記パネルカスタマイズ情報制御部は、前記パネルカスタマイズ情報を前記パネルカスタマイズ情報記憶部に記憶させることを特徴とする画像形成装置。
【００１８】
（４）に記載の画像形成装置によれば、サーバがパネルカスタマイズ情報を有する場合には、パネルカスタマイズ情報を設定更新した旨の通知メッセージとともにパネルカスタマイズ情報が送信される。
【００１９】
このことにより、本画像形成装置は、サーバから、安全、確実にパネルカスタマイズ情報を受信し、記憶することができる。
【００２０】
（５）  （１）乃至（３）に記載の画像形成装置であって、前記通信部を介して受信する、パネルカスタマイズ情報の設定更新を開始する旨の設定更新開始メッセージ、又は、パネルカスタマイズ情報の設定更新を終了した旨の設定更新終了メッセージ、を記憶する設定更新メッセージ記憶部と、をさらに備え、前記画像形成装置が前記パネルカスタマイズ情報を有し、一の画像形成装置が前記パネルカスタマイズ情報の設定更新をすると、他の画像形成装置は、前記設定更新開始メッセージと、前記送信元判別部の判別とに応じて、当該画像形成装置での前記設定更新を禁止し、前記設定更新終了メッセージに応じて、前記設定更新の禁止を解除することを特徴とする画像形成装置。
【００２１】
（５）に記載の画像形成装置によれば、他の画像形成装置は、パネルカスタマイズ情報の設定更新を開始すると設定更新開始メッセージを送信し、終了すると設定更新終了メッセージを送信するので、開始メッセージと終了メッセージとに応じて、当該画像形成装置の設定更新を禁止し、禁止した設定更新の解除を行う。
【００２２】
このことにより、本画像形成装置は、複数の画像形成装置からなるネットワークを構成する場合であっても、安全にパネルカスタマイズ情報の設定更新をすることができる。
【００２３】
（６）  （１）乃至（３）に記載の画像形成装置であって、前記ユーザ端末を認証するユーザ認証データを記憶するユーザ認証データ記憶部と、前記ユーザ認証データと対を成す前記パネルカスタマイズ情報を、前記パネルカスタマイズ情報記憶部とは別に記憶するパーソナルパネルカスタマイズ情報記憶部と、複数の前記ユーザ認証データのうち、一のユーザ認証データを記憶するカレントユーザ認証データ記憶部と、前記カレントユーザ認証データ記憶部に記憶するユーザ認証データを指示により切替えるカレントユーザ認証データ切替部と、をさらに備え、前記ユーザ情報は、ユーザ認証データをさらに含み、前記ユーザ端末は前記パネルカスタマイズ情報を有し、前記パネルカスタマイズ情報制御部は、前記通信部を介し受信した前記パネルカスタマイズ情報の前記ユーザ認証データに基づき、前記パネルカスタマイズ情報を前記パーソナルパネルカスタマイズ情報記憶部に記憶させ、前記カレントユーザ認証データ切替部は、指示に応じて一のユーザ認証データをカレントユーザ認証データ記憶部に記憶させ、前記操作パネル画面制御部は、前記カレントユーザ認証データ記憶部が記憶する前記ユーザ認証データと対を成す、前記パーソナルパネルカスタマイズ情報記憶部が記憶した前記パネルカスタマイズ情報と、前記標準画面の設計情報とに基づき、前記操作パネル画面の構成と操作キーの構成とを制御することを特徴とする画像形成装置。
【００２４】
（６）に記載の画像形成装置によれば、パネルカスタマイズ情報制御部は、通信部を介し受信したパネルカスタマイズ情報のユーザ認証データに基づき、パネルカスタマイズ情報をパーソナルパネルカスタマイズ情報記憶部に記憶させる。一方、カレントユーザ認証データ切替部は、指示に応じて一のユーザ認証データをカレントユーザ認証データ記憶部に記憶させる。そして、操作パネル画面制御部は、カレントユーザ認証データ記憶部が記憶するユーザ認証データと対を成す、パーソナルパネルカスタマイズ情報記憶部が記憶したパネルカスタマイズ情報と、標準画面の設計情報とに基づき、操作パネル画面の構成と操作キーの構成とを制御する。
【００２５】
このことにより、本画像形成装置は、カレントユーザ認証データと対を成すパネルカスタマイズ情報と、標準画面の設計情報とに基づき、操作パネル画面の構成と操作とを制御する。そして、本画像形成装置は、カレントユーザ認証データを指定することができる。したがって、個人専用のパネルカスタマイズ情報を画像形成装置に送信しておけば、画像形成装置を使用時にユーザ認証データを指定することにより、個人専用のパネルカスタマイズ情報に基づいた操作パネル画面にすることができる。
【００２６】
（７）  （６）に記載の画像形成装置であって、当該画像形成装置の電源が入れられた旨を通知する電源開始メッセージを記憶する電源開始メッセージ記憶部と、前記ユーザ端末のアドレスを記憶するユーザ端末アドレス記憶部と、をさらに備え、前記画像形成装置は、当該画像形成装置が属するグループのユーザ端末に対し、前記電源開始メッセージを送信し、前記電源開始メッセージを送信したことに応じて、当該ユーザ端末のアドレス情報とユーザ認証データとを受信し、当該ユーザ認証データが前記ユーザ端末認証データ記憶部が記憶するユーザ認証データと同一であれば、当該ユーザ端末のアドレス情報を前記ユーザ端末アドレス記憶部に記憶し、前記ユーザ端末アドレス記憶部が記憶したユーザ端末のアドレス情報を基に、前記パネルカスタマイズ情報を、前記通信部を介して受信することを特徴とする画像形成装置。
【００２７】
（７）に記載の画像形成装置によれば、画像形成装置は、当該画像形成装置が属するグループのユーザ端末に対し、電源開始メッセージを送信し、電源開始メッセージを送信したことに応じて、当該ユーザ端末のアドレス情報とユーザ認証データとを受信し、当該ユーザ認証データがユーザ端末認証データ記憶部が記憶するユーザ認証データと同一であれば、当該ユーザ端末のアドレス情報をユーザ端末アドレス記憶部に記憶し、ユーザ端末アドレス記憶部が記憶したユーザ端末のアドレス情報を基に、パネルカスタマイズ情報を、通信部を介して受信する。
【００２８】
このことにより、本画像形成装置は、電源が入れられたときに、電源開始メッセージを送信し、送信したことに応じて、ユーザ端末から、ユーザ端末のアドレス情報とユーザ認証データとを受信する。そして、ユーザ認証データが当該画像形成装置に存在する場合には、ユーザ端末のアドレス情報とユーザ認証データとを記憶し、記憶したユーザ端末のアドレス情報に基づきパネルカスタマイズ情報を受信する。したがって、ユーザ端末のアドレスが変更になったとしても、電源を入れ直せば、ユーザ端末からパネルカスタマイズ情報を受信することができる。
【００２９】
（８）  操作パネル画面のカスタマイズを行うことができる画像形成装置用プログラムであって、通信部がネットワークに接続されたサーバ、ユーザ端末及び他の複数の前記画像形成装置とデータの通信を行うステップと、パネル画面設計情報記憶部が、前記操作パネル画面の標準画面の設計情報を記憶するステップと、送信元判別部が、前記通信部を介して受信した、送信元識別情報とユーザ情報とパネルカスタマイズデータとを含むパネルカスタマイズ情報の前記送信元識別情報により送信元を判別するステップと、パネルカスタマイズ情報制御部が、前記送信元判別部が判別した送信元の種類に応じて制御を行い、前記通信部を介して受信した前記パネルカスタマイズ情報をパネルカスタマイズ情報記憶部に記憶させるステップと、操作パネル画面制御部が、前記パネルカスタマイズ情報記憶部が記憶した前記パネルカスタマイズ情報と、前記標準画面の設計情報とに基づき、前記操作パネル画面の構成と操作キーの構成とを制御するステップと、を画像形成装置に実行させる画像形成装置用プログラム。
【００３０】
（８）に記載の画像形成装置用プログラムによれば、通信部にサーバ、ユーザ端末及び他の複数の前記画像形成装置とデータの通信を行わせ、操作パネル画面のカスタマイズを行うことができる画像形成装置のパネル画面設計情報記憶部に、操作パネル画面の標準画面の設計情報を記憶させる。また、送信元判別部が送信元識別情報とユーザ情報とパネルカスタマイズデータとを含むパネルカスタマイズ情報の送信元識別情報により判別した送信元の種類に応じて、パネルカスタマイズ情報制御部に、制御を行わせ、パネルカスタマイズ情報を、パネルカスタマイズ情報記憶部に記憶させる。そして、操作パネル画面制御部に、パネルカスタマイズ情報記憶部が記憶したパネルカスタマイズ情報と、標準画面の設計情報とに基づき、操作パネル画面の構成と操作キーの構成とを制御させる。
【００３１】
このことにより、本プログラムは、サーバ、ユーザ端末又は他の画像形成装置のいずれからであっても、パネルカスタマイズ情報を受信させ、受信したパネルカスタマイズ情報と、標準画面の設計情報とに基づき、操作パネル画面の構成と操作キーの構成とを制御させる。したがって、サーバ、ユーザ端末又は他の画像形成装置のいずれか一箇所でパネルカスタマイズ情報を設定更新すれば、その情報を受信させることにより、他の全ての画像形成装置の操作パネル画面の構成と操作キーの構成とを更新させることができる。
【００３２】
（９）  操作パネル画面のカスタマイズを行う方法であって、通信部がネットワークに接続されたサーバ、ユーザ端末及び他の複数の前記画像形成装置とデータの通信を行うステップと、パネル画面設計情報記憶部が、前記操作パネル画面の標準画面の設計情報を記憶するステップと、送信元判別部が、前記通信部を介して受信した、送信元識別情報とユーザ情報とパネルカスタマイズデータとを含むパネルカスタマイズ情報の前記送信元識別情報により送信元を判別するステップと、パネルカスタマイズ情報制御部が、前記送信元判別部が判別した送信元の種類に応じて制御を行い、前記通信部を介して受信した前記パネルカスタマイズ情報をパネルカスタマイズ情報記憶部に記憶させるステップと、操作パネル画面制御部が、前記パネルカスタマイズ情報記憶部が記憶した前記パネルカスタマイズ情報と、前記標準画面の設計情報とに基づき、前記操作パネル画面の構成と操作キーの構成とを制御するステップと、を含む方法。
【００３３】
（９）に記載の方法によれば、操作パネル画面のカスタマイズを行うことができる方法であって、通信部がネットワークに接続されたサーバ、ユーザ端末及び他の複数の画像形成装置とデータの通信を行い、パネル画面設計情報記憶部が、操作パネル画面の標準画面の設計情報を記憶し、送信元判別部が、通信部を介して受信した、送信元識別情報とユーザ情報とパネルカスタマイズデータとを含むパネルカスタマイズ情報の送信元識別情報により送信元を判別し、パネルカスタマイズ情報制御部が、送信元判別部が判別した送信元の種類に応じて制御を行い、通信部を介して受信した前記パネルカスタマイズ情報をパネルカスタマイズ情報記憶部に記憶させ、操作パネル画面制御部が、前記パネルカスタマイズ情報記憶部が記憶した前記パネルカスタマイズ情報と、前記標準画面の設計情報とに基づき、前記操作パネル画面の構成と操作キーの構成とを制御する。
【００３４】
このことにより、本方法は、ネットワークに接続されたサーバ、ユーザ端末又は他の画像形成装置のいずれからであっても、パネルカスタマイズ情報を受信し、受信したパネルカスタマイズ情報と、標準画面の設計情報とに基づき、操作パネル画面の構成と操作キーの構成とを制御する。したがって、サーバ、ユーザ端末又は他の画像形成装置のいずれか一箇所でパネルカスタマイズ情報を設定更新すれば、その情報を受信することにより、他の全ての画像形成装置の操作パネル画面の構成と操作キーの構成とを更新することができる。
【発明の効果】
【００３５】
本発明によれば、画像形成装置が標準装備する画面に対して一箇所でカスタマイズの設定を行うだけで、カスタマイズ設定に関連する、ネットワークに接続されている全ての画像形成装置の設定を行うことができる。
【発明を実施するための最良の形態】
【００３６】
以下、本発明の実施形態について、説明する。
【００３７】
［実施形態１］
本発明の画像形成装置１の一つの実施の形態として、図１〜図１７を用いて説明する。この画像形成装置１（図１）は、操作パネル画面９のカスタマイズを行うことができる。実施形態の構成として、通信部２と、送信元判別部３と、パネルカスタマイズ情報制御部４と、パネルカスタマイズ情報記憶部５と、パネル画面設計情報記憶部６と、操作パネル画面制御部７と、操作パネル８と、操作パネル画面９とを備えている。そして、ネットワークに接続されたサーバ５０（図１２参照）、ユーザ端末６０（図１４参照）及び他の複数の前記画像形成装置１とデータの通信を行い、パネルカスタマイズ情報１００をパネルカスタマイズ情報記憶部５に記憶する。記憶したパネルカスタマイズ情報１００と、標準画面の設計情報とに基づき、操作パネル画面制御部７は、操作パネル８の画面の構成と操作キーの構成とを制御する。以下、図にしたがって、詳述する。
【００３８】
図１は、本発明に係る画像形成装置１の構成間の関係を示すブロック図である。
【００３９】
本発明に係る画像形成装置１は、コピー機能、スキャナー機能、ファックス機能、プリンタ機能のうち少なくとも一つを搭載した装置であり、複合機であってもよい。記憶部（ＲＡＭ、ＲＯＭ、ハードディスク等）やＣＰＵ等を有し、コンピュータ動作環境を備えた装置である。そして、本発明に係る構成として、通信部２と、送信元判別部３と、パネルカスタマイズ情報制御部４と、パネルカスタマイズ情報記憶部５と、パネル画面設計情報記憶部６と、操作パネル画面制御部７と、操作パネル８と、操作パネル画面９とを備える。
【００４０】
通信部２は、サーバ５０、ユーザ端末６０又は他の複数の画像形成装置１とデータを送受信する。
【００４１】
送信元判別部３は、送信元識別情報７０（図２参照）に基づいて送信元を判別する。送信元識別情報７０には、送信元がサーバ５０か、ユーザ端末６０か、画像形成装置１かを識別できるデータが含まれている。また、送信元判別部３は、ユーザ情報８０（図２参照）に含まれているグループ名データ８１（図２参照）、モデル名データ８２（図２参照）の判別をも行い、画像形成装置１が有するグループ名、モデル名とを比較して判別する。
【００４２】
パネルカスタマイズ情報制御部４は、送信元判別部３が判別した送信元の種類に応じて制御を行い、受信したパネルカスタマイズ情報１００をパネルカスタマイズ情報記憶部５に記憶させる。また、操作パネル８をユーザが使用中の場合は、使用中の操作パネル画面９の構成に対応するパネルカスタマイズ情報１００を記憶するパネルカスタマイズ情報記憶部５とは異なる記憶部に、受信したパネルカスタマイズ情報１００を一時的に記憶させる。さらに、ユーザ認証データ記憶部１１とパーソナルパネルカスタマイズ情報記憶部１０とを有する場合には、ユーザ端末６０から受信したパネルカスタマイズ情報１００をユーザ認証データに基づきパーソナルパネルカスタマイズ情報記憶部１０に記憶させる（後述する実施形態２）。
【００４３】
パネルカスタマイズ情報記憶部５は、ＲＡＭ等にパネルカスタマイズ情報１００を記憶する。パネルカスタマイズ情報１００は、操作パネル画面９の構成や動作を設定する情報であり、操作パネル８から設定更新することにより作成される。また、通信部２を介して受信することにより記憶される。例えば、コピー機能についてのパネルカスタマイズ情報１００には、コピー初期設定として、用紙設定、操作画面に表示する言語の切替等がある。
【００４４】
パネル画面設計情報記憶部６は、操作パネル画面９の標準画面の設計情報をＲＯＭ等に記憶している。標準画面の設計情報は、例えば、コピー機能について、用紙設定はＡ４、言語は日本語等の標準の設定値を保持している。また、操作パネル画面９に表示される各種図形の位置、大きさ等の標準の設定値を保持している。さらに、操作パネル画面９のメニューの動作順等の情報を保持してもよい。
【００４５】
操作パネル画面制御部７は、パネルカスタマイズ情報記憶部５が記憶するパネルカスタマイズ情報１００と、パネル画面設計情報記憶部６が記憶する標準画面の設計情報とに基づき、操作パネル画面９の構成と操作キーの構成とを制御する。さらに、ユーザ認証データ記憶部１１を有する場合には、指定されたユーザ認証データ記憶部１１と対を成すパーソナルパネルカスタマイズ情報記憶部１０と標準画面の設計情報とに基づき、操作パネル画面９の構成と操作キーの構成とを制御する（実施形態２、図１８参照）。
【００４６】
操作パネル８は、画像形成装置１を操作するためのパネルである。このパネルには、表示画面とスタートキー、ストップ／クリアキー、リセットキー、コピーキー、プリンタキー、スキャナキー、ファックスキー等のキーが装備されている。
【００４７】
操作パネル画面９は、操作パネル８に設けられている表示画面である。ユーザ操作をガイドする画面を表示し、種々のメッセージを表示する。後述する、パネルカスタマイズ情報１００の設定更新はできない旨のメッセージ、グループ名受付処理によるグループ名を入力する画面（図１０フローチャート参照）、カレントユーザ認証データの切替処理によるユーザ名入力画面（図１９フローチャート参照）等を表示する。
【００４８】
図２は、パネルカスタマイズ情報１００の構成を示している。パネルカスタマイズ情報１００は、例えば、送信元識別情報７０、ユーザ情報８０及びパネルカスタマイズデータ９０とから構成され、ユーザ情報８０はグループ名データ８１、モデル名データ８２及びユーザ認証データ８３とから構成されていることを示している。送信元識別情報７０は、送信元がサーバ５０かユーザ端末６０か画像形成装置１かのデータを含んでいる。グループ名データ８１は、例えば、画像形成装置１が所属する部署等のデータである。この情報を利用すれば、画像形成装置１をグループ分けすることができる。モデル種別データは、画像形成装置１の機種、モデル等のデータである。このデータは、機種、モデル等で異なるパネルカスタマイズ情報１００を区別するのに利用できる。パネルカスタマイズ情報１００のユーザ認証データ８３は、ユーザ端末６０を認証するためのデータである。画像形成装置１の設定をパーソナルな設定とする場合に利用することができる。パネルカスタマイズデータ９０は、操作パネル画面９の構成や操作キーの構成に関するデータである。標準画面の設計情報とこのデータとに基づいて、操作パネル画面９を再構成することができる。
【００４９】
［フローチャート］
図３に示すフローチャートを参照して、本実施形態の動作を説明する。本プログラムは、メイン処理で初期設定終了後、ネットワークからデータを受信すると、起動される。
【００５０】
ステップＳ１０１において、画像形成装置１のＣＰＵは、通信部２からデータを受信しているか否かを調べる。受信データがある場合には、処理をステップＳ１０２に移す。受信データがない場合には、処理を終了する。
【００５１】
ステップＳ１０２に移行すると、画像形成装置１のＣＰＵは、送信元判別処理を行う。具体的には、送信元判別処理（後述する図４）へステップを移す。その後、処理をステップＳ１０３に移す。
【００５２】
ステップＳ１０３に移行すると、画像形成装置１のＣＰＵは、送信元判別処理の結果としてパネルカスタマイズ情報制御処理へリリースするか否かを調べる。パネルカスタマイズ情報制御処理へリリースしない場合には、処理を終了する。パネルカスタマイズ情報制御処理へリリースする場合には、処理をステップＳ１０４に移す。
【００５３】
ステップＳ１０４に移行すると、画像形成装置１のＣＰＵは、パネルカスタマイズ情報制御処理を行う。具体的には、パネルカスタマイズ情報制御処理（後述する図５）へステップを移す。その後、処理をステップＳ１０５に移す。
【００５４】
ステップＳ１０５に移行すると、画像形成装置１のＣＰＵは、操作パネル画面制御処理を行う。具体的には、パネルカスタマイズ情報記憶部５（又はパーソナルパネルカスタマイズ情報記憶部１０）に記憶するパネルカスタマイズ情報１００と標準画面の設計情報とに基づき、操作パネル８の構成と操作キーの構成とを制御する。その後、処理を終了する。
【００５５】
図４に示すフローチャートを参照して、送信元判別処理の動作を説明する。
【００５６】
ステップＳ１１１において、画像形成装置１のＣＰＵは、通信部２から受信したデータがパネルカスタマイズ情報１００か否かを調べる。パネルカスタマイズ情報１００でない場合には、処理をステップＳ１１５に移す。パネルカスタマイズ情報１００である場合には、処理をステップＳ１１２に移す。
【００５７】
ステップＳ１１２に移行すると、画像形成装置１のＣＰＵは、グループ名が同じか否かを調べる。具体的には、パネルカスタマイズ情報１００のグループ名データ８１と、データとして記憶しているグループ名とを比較する。異なる場合は、リターンする。同じ場合は、処理をステップＳ１１３に移す。
【００５８】
ステップＳ１１３に移行すると、画像形成装置１のＣＰＵは、モデル名が同じか否かを調べる。具体的には、パネルカスタマイズ情報１００のモデル名データ８２と、データとして記憶しているモデル名とを比較する。異なる場合は、リターンする。同じ場合は、処理をステップＳ１１４に移す。
【００５９】
ステップＳ１１４に移行すると、画像形成装置１のＣＰＵは、パネルカスタマイズ情報制御処理へデータをリリースする処理を行う。具体的には、パネルカスタマイズ情報制御処理へリリースするために、リリースフラグをＯＮにする。その後、リターンする。
【００６０】
ステップＳ１１５に移行すると、画像形成装置１（ＭＦＰ）のＣＰＵは、画像形成装置１からのデータか否かを調べる。具体的には、パネルカスタマイズ情報１００の送信元識別情報７０を調べる。画像形成装置１（ＭＦＰ）からのデータでない場合は、処理をステップＳ１１９に移す。画像形成装置１からのデータである場合には、処理をステップＳ１１６に移す。
【００６１】
ステップＳ１１６に移行すると、画像形成装置１のＣＰＵは、モデル名が同じか否かを調べる。具体的には、パネルカスタマイズ情報１００のモデル名データ８２と、データとして記憶しているモデル名とを比較する。異なる場合は、処理をステップＳ１１９に移す。同じ場合は、処理をステップＳ１１７に移す。
【００６２】
ステップＳ１１７に移行すると、画像形成装置１のＣＰＵは、パネルカスタマイズ設定更新開始メッセージか否かを調べる。パネルカスタマイズ設定更新開始メッセージである場合には、処理をステップＳ１２１に移す。パネルカスタマイズ設定更新開始メッセージでない場合には、処理をステップＳ１１８に移す。
【００６３】
ステップＳ１１８に移行すると、画像形成装置１のＣＰＵは、パネルカスタマイズ設定更新終了メッセージか否かを調べる。パネルカスタマイズ設定更新終了メッセージである場合には、処理をステップＳ１２２に移す。パネルカスタマイズ設定更新終了メッセージでない場合には、リターンする。
【００６４】
ステップＳ１１９に移行すると、画像形成装置１のＣＰＵは、ユーザ端末６０からのデータか否かを調べる。ユーザ端末６０からのデータでない場合は、リターンする。ユーザ端末６０からのデータである場合には、処理をステップＳ１２０に移す。
【００６５】
ステップＳ１２０に移行すると、画像形成装置１のＣＰＵは、ログイン情報か否かを調べる。ログイン情報である場合は、処理をステップＳ１２３に移す。ログイン情報でない場合は、リターンする。
【００６６】
ステップＳ１２１に移行すると、画像形成装置１のＣＰＵは、パネルカスタマイズ情報設定更新開始情報を記憶する。具体的には、画像形成装置１でパネルカスタマイズ情報１００の設定更新が開始したことを示すパネルカスタマイズ情報設定更新開始フラグをＯＮにする。その後、リターンする。
【００６７】
ステップＳ１２２に移行すると、画像形成装置１のＣＰＵは、パネルカスタマイズ情報設定更新開始情報を削除する。具体的には、パネルカスタマイズ情報設定更新開始フラグをＯＦＦにする。その後、リターンする。
【００６８】
ステップＳ１２３に移行すると、画像形成装置１のＣＰＵは、ログイン処理を行う。具体的には、ユーザ端末６０のアドレス情報とユーザ認証データとを記憶する。その後、リターンする。
【００６９】
図５に示すフローチャートを参照して、パネルカスタマイズ情報制御処理の動作を説明する。
【００７０】
ステップＳ１５１において、画像形成装置１のＣＰＵは、サーバ５０からのパネルカスタマイズ情報１００か否かを調べる。サーバ５０からのパネルカスタマイズ情報１００である場合には、処理をステップＳ１５４に移す。パネルカスタマイズ情報１００でない場合には、処理をステップＳ１５２に移す。
【００７１】
ステップＳ１５２に移行すると、画像形成装置１のＣＰＵは、画像形成装置１からのパネルカスタマイズ情報１００か否かを調べる。画像形成装置１からのパネルカスタマイズ情報１００である場合には、処理をステップＳ１５５に移す。パネルカスタマイズ情報１００でない場合には、処理をステップＳ１５３に移す。
【００７２】
ステップＳ１５３に移行すると、画像形成装置１のＣＰＵは、ユーザ端末６０からのパネルカスタマイズ情報１００か否かを調べる。ユーザ端末６０からのパネルカスタマイズ情報１００である場合には、処理をステップＳ１５６に移す。パネルカスタマイズ情報１００でない場合には、リターンする。
【００７３】
ステップＳ１５４に移行すると、画像形成装置１のＣＰＵは、サーバ５０からのパネルカスタマイズ情報１００をパネルカスタマイズ情報記憶処理（図７参照）を利用してパネルカスタマイズ情報部記憶部に記憶する。その後、リターンする。
【００７４】
ステップＳ１５５に移行すると、画像形成装置１のＣＰＵは、画像形成装置１からのパネルカスタマイズ情報１００をパネルカスタマイズ情報記憶処理（図７参照）を利用してパネルカスタマイズ情報部記憶部に記憶する。その後、リターンする。
【００７５】
ステップＳ１５６に移行すると、画像形成装置１のＣＰＵは、ユーザ端末６０からのパネルカスタマイズ情報処理へ処理を移行する（図６参照）。その後、リターンする。
【００７６】
図６に示すフローチャートを参照して、ユーザ端末６０からのパネルカスタマイズ情報処理の動作を説明する。
【００７７】
ステップＳ２０１において、画像形成装置１のＣＰＵは、パネルカスタマイズ情報１００のユーザ認証データ８３と同じユーザ認証データがユーザ認証データ記憶部１１に存在するか否かを調べる。同じユーザ認証データが存在しない場合には、処理をステップＳ２０３に移す。同じユーザ認証データが存在する場合には、処理をステップＳ２０２に移す。
【００７８】
ステップＳ２０２に移行すると、画像形成装置１のＣＰＵは、パネルカスタマイズ情報１００をパネルカスタマイズ情報記憶処理（図７参照）を利用してパーソナルパネルカスタマイズ情報記憶部１０に記憶させる。その後、リターンする。
【００７９】
ステップＳ２０３に移行すると、画像形成装置１のＣＰＵは、パネルカスタマイズ情報１００をパネルカスタマイズ情報記憶処理（図７参照）を利用してパネルカスタマイズ情報記憶部５に記憶させる。その後、リターンする。
【００８０】
図７に示すフローチャートを参照して、パネルカスタマイズ情報記憶処理の動作を説明する。
【００８１】
ステップＳ２１１において、画像形成装置１のＣＰＵは、データをパネルカスタマイズ情報一時記憶部に記憶させる。その後、処理をステップＳ２１２に移す。
【００８２】
ステップＳ２１２に移行すると、画像形成装置１のＣＰＵは、操作パネル８は使用中か否かを調べる。操作パネル８を使用中である場合には、リターンする。操作パネル８を使用中でない場合には、処理をステップＳ２１３に移す。
【００８３】
ステップＳ２１３に移行すると、画像形成装置１のＣＰＵは、パネルカスタマイズ情報一時記憶部が記憶するデータを利用の仕方により、パネルカスタマイズ情報記憶部５か又はパーソナルパネルカスタマイズ情報記憶部１０に記憶させる。その後、処理をステップＳ２１４に移す。
【００８４】
ステップＳ２１４に移行すると、画像形成装置１のＣＰＵは、パネルカスタマイズ情報一時記憶部の内容をクリアする。その後、リターンする。
【００８５】
図８に示すフローチャートを参照して、画像形成装置１でのパネルカスタマイズ情報設定更新処理の動作を説明する。本プログラムは、パネルカスタマイズ情報１００を設定更新する場合に起動される。
【００８６】
ステップＳ３０１において、画像形成装置１のＣＰＵは、他の画像形成装置１で設定更新中か否かを調べる。他の画像形成装置１で設定更新中である場合には、処理をステップＳ３０５に移す。他の画像形成装置１で設定更新中でない場合には、処理をステップＳ３０２に移す。
【００８７】
ステップＳ３０２に移行すると、画像形成装置１のＣＰＵは、ＭＦＰパネルカスタマイズ情報設定更新開始メッセージを送信する。その後、処理をステップＳ３０３に移す。
【００８８】
ステップＳ３０３に移行すると、画像形成装置１のＣＰＵは、当該パネルカスタマイズ情報設定更新を行う。その後、処理をステップＳ３０４に移す。
【００８９】
ステップＳ３０４に移行すると、画像形成装置１のＣＰＵは、ＭＦＰパネルカスタマイズ情報設定更新終了を送信する。その後、処理を終了する。
【００９０】
ステップＳ３０５に移行すると、画像形成装置１のＣＰＵは、当該パネルカスタマイズ情報１００の設定更新処理はできない旨のメッセージを操作パネル画面９に表示する。その後、処理を終了する。
【００９１】
図９に示すフローチャートを参照して、画像形成装置１の電源ＯＮの動作を説明する。当該プログラムは、電源ＯＮ時に起動される。
【００９２】
ステップＳ４０１において、画像形成装置１のＣＰＵは、ユーザ認証データ記憶部１１にユーザ認証データが存在するか否かを調べる。ユーザ認証データが存在しない場合には、処理を終了する。ユーザ認証データが存在する場合には、処理をステップＳ４０２に移す。
【００９３】
ステップ４０２に移行すると、画像形成装置１のＣＰＵは、ユーザ認証データ記憶部１１が記憶するユーザ認証データの存在するユーザ端末６０に対し、当該画像形成装置１に電源が入れられた旨の電源ＯＮ通知メッセージを送信する。その後、処理をステップＳ４０３に移す。
【００９４】
ステップＳ４０３に移行すると、画像形成装置１のＣＰＵは、ユーザ認証データ記憶部１１に記憶するユーザ認証データ全てについて電源ＯＮ通知メッセージを送信したか否かを調べる。ユーザ認証データ記憶部１１に記憶するユーザ認証データ全てについて電源ＯＮ通知メッセージを送信している場合には、リターンする。まだ電源ＯＮ通知メッセージを送信していないユーザ端末６０が存在する場合には、処理をステップＳ４０２に移す。
【００９５】
図１０に示すフローチャートを参照して、画像形成装置１でのグループ名受付処理の動作を説明する。本プログラムは、グループ名入力要求により起動される。
【００９６】
ステップＳ５０１において、画像形成装置１のＣＰＵは、グループ名受付処理として、グループ名の入力を促す画面を表示する。その後、処理をステップＳ５０２に移す。
【００９７】
ステップ５０２に移行すると、画像形成装置１のＣＰＵは、入力されたグループ名を読み込む。その後、処理をステップＳ５０３に移す。
【００９８】
ステップ５０３に移行すると、画像形成装置１のＣＰＵは、読み込んだグループ名をデータとして記憶する。その後、処理を終了する。
【００９９】
図１１に示すフローチャートを参照して、画像形成装置１での操作パネル操作開始処理の動作を説明する。本プログラムは、操作パネル８の操作を開始する時に起動される。
【０１００】
ステップＳ６０１において、画像形成装置１のＣＰＵは、パネルカスタマイズ情報一時記憶部にデータが存在するか否かを調べる。データが存在しない場合には、処理をステップＳ６０４に移す。データが存在する場合には、処理をステップＳ６０２に移す。
【０１０１】
ステップ６０２に移行すると、画像形成装置１のＣＰＵは、パネルカスタマイズ情報一時記憶部のデータをパネルカスタマイズ情報記憶部５か又はパーソナルパネルカスタマイズ情報記憶部１０に記憶する。その後、処理をステップＳ６０３に移す。
【０１０２】
ステップＳ６０３に移行すると、画像形成装置１のＣＰＵは、パネルカスタマイズ情報一時記憶部のデータをクリアする。その後、処理をステップＳ６０４に移す。
【０１０３】
ステップＳ６０４に移行すると、画像形成装置１のＣＰＵは、カレントユーザ認証データが記憶されているか否かを調べる。カレントユーザ認証データが記憶されていない場合には、処理をステップＳ６０６に移す。カレントユーザ認証データが記憶されている場合には、処理をステップＳ６０５に移す。
【０１０４】
ステップＳ６０５に移行すると、画像形成装置１のＣＰＵは、カレントユーザ認証データに対応したパーソナルパネルカスタマイズ情報記憶部１０に記憶されたパネルカスタマイズ情報１００と標準画面の設計情報とに基づき、操作パネル画面９を構成する。その後、処理を終了する。
【０１０５】
ステップＳ６０６に移行すると、画像形成装置１のＣＰＵは、パネルカスタマイズ情報記憶部５に記憶されたパネルカスタマイズ情報１００と標準画面の設計情報とに基づき、操作パネル画面９を構成する。その後、処理を終了する。
【０１０６】
本実施の形態によると、画像形成装置１は、次のようなネットワーク構成に接続してカスタマイズをすることができる。以下、図にしたがって、説明する。
【０１０７】
図１２は、複数の画像形成装置１とサーバ５０とからネットワークを構成する場合を示している。この構成では、サーバ５０が画像形成装置１のパネルカスタマイズ情報１００を保持している。そして、サーバ５０でパネルカスタマイズ情報１００が設定更新されると、設定更新メッセージとともにパネルカスタマイズ情報１００がサーバ５０から配信される。したがって、画像形成装置１が受信すれば、サーバ５０のパネルカスタマイズ情報１００は、画像形成装置１のパネルカスタマイズ情報記憶部５に記憶され（図５ステップＳ１５４参照）、操作パネル画面制御処理（図３ステップＳ１０５参照）で、パネルカスタマイズ情報１００と標準画面の設計情報とに基づいて、操作パネル画面９の構成とキーの構成が制御される。したがって、サーバ５０で設定更新するだけで、ネットワークに接続されている複数の画像形成装置１のパネルカスタマイズ情報１００が設定更新される。
【０１０８】
また、グループ分けした運用が可能である。例えば、画像形成装置１において、グループ名受付処理（図１０参照）を利用し、グループ名を入力し記憶させる。そうすると、受信したパネルカスタマイズ情報１００が、記憶しているグループ名と異なる場合は、パネルカスタマイズ情報１００を記憶しない（図４ステップＳ１１２参照）ので、同一グループ（例えば、部署等）の画像形成装置１についてカスタマイズ設定を行うことができる。
【０１０９】
さらに、ユーザが画像形成装置１を操作中に、パネルカスタマイズ情報１００を受信した場合には、一時記憶部に記憶され（図７ステップＳ２１１参照）、操作パネル８の使用開始時に一時記憶部が参照される（図１１ステップＳ６０１参照）ので、画像形成装置１を操作中であっても、パネルカスタマイズ情報１００を受信することができる。
【０１１０】
図１３は、複数の画像形成装置１からだけでネットワークを構成する場合を示している。この構成では、各々の画像形成装置１がパネルカスタマイズ情報１００を保持している。
【０１１１】
そして、一の画像形成装置１でパネルカスタマイズ情報１００の設定更新が開始されると、設定更新を開始した画像形成装置１は設定更新開始メッセージを送信し、設定更新を終了すると、設定更新終了メッセージを送信する（図８ステップＳ３０４参照）。一方、他の画像形成装置１では、設定更新開始メッセージを受信後、設定更新終了メッセージを受信するまでの間は、当該画像形成装置１では、設定更新を行うことはできない旨のメッセージを表示する（図８ステップＳ３０５参照）。このようなプロトコルを設けることによって、画像形成装置だけのネットワークであっても、設定更新の競合を防止することができる。設定更新終了メッセージを受信後、設定更新されたパネルカスタマイズ情報１００を受信することにより、当該画像形成装置１の設定更新をすることができる。
【０１１２】
図１４は、複数の画像形成装置１とユーザ端末６０とからネットワークを構成する場合を示している。この構成では、ユーザ端末６０がパネルカスタマイズ情報１００を保持している。通常の運用では、サーバ５０とのネットワーク構成と同様である。ユーザ認証データを利用した運用を行うと、カスタマイズのパーソナル化を行うことができる（実施形態２参照）。ユーザが画像形成装置１を操作中に、パネルカスタマイズ情報１００を受信した場合は、サーバ５０構成の場合と同様である。
【０１１３】
図１５は、コピー機能の用紙設定画面１０１について、カスタマイズ前、すなわち標準の操作パネル画面９の設定内容を示している。例えば、原稿サイズ１０２としてＡ４、用紙サイズ１０３としてＡ４、拡大・縮小１０４として１００パーセントが、デフォルト表示されることを示している。
【０１１４】
図１６は、コピー機能の用紙設定画面１０１について、カスタマイズ後（１）の操作パネル画面９の設定内容を示している。例えば、言語切替を行い言語を英語とした場合の、操作パネル画面９の用紙設定の表示がＯｒｉｇｉｎａｌ  ＰａｐｅｒＳｉｚｅ（原稿サイズ）１０２としてＡ４、Ｏｕｔｐｕｔ  ＰａｐｅｒＳｉｚｅ（用紙サイズ）１０３としてＡ４、Ｍａｇｎｉｆｉｃａｔｉｏｎ  Ｒａｔｉｏ（拡大・縮小）１０４として１００パーセントとなっていることを示している。
【０１１５】
図１７は、コピー機能の用紙設定画面１０１について、カスタマイズ後（２）の操作パネル画面９の設定内容を示している。例えば、原稿サイズの初期設定値を原稿サイズ１０２としてＢ５、用紙サイズの初期設定値を用紙サイズ１０３としてＡ４、拡大・縮小の初期設定値を拡大・縮小１０４として１１５パーセントが、初期設定として設定されていることを示している。
【０１１６】
［実施形態２］
本発明の画像形成装置１の他の実施の形態として、図１８〜図２２を用いて説明する。この画像形成装置１（図１８）は、操作パネル画面９のカスタマイズのパーソナル化を行うことができる。実施形態の構成として、実施形態１に加えて、パーソナルパネルカスタマイズ情報記憶部１０と、ユーザ認証データ記憶部１１と、カレントユーザ認証データ記憶部１２と、カレントユーザ認証データ切替部１３と、をさらに備えている。以下、図にしたがって、詳述する。
【０１１７】
図１８は、本発明に係る画像形成装置１の構成間の関係を示すブロック図である。各部１〜９については実施例１と同様である。
【０１１８】
パーソナルパネルカスタマイズ情報記憶部１０は、ＲＡＭ等にパネルカスタマイズ情報１００を記憶する（以下、特にこのパネルカスタマイズ情報１００をパーソナルパネルカスタマイズ情報という）。パーソナルパネルカスタマイズ情報記憶部１０は、ユーザ認証データ記憶部１１と対をなしている。したがって、画像形成装置１のパネルカスタマイズ情報の設定をパーソナルな設定とすることができる。例えば、コピー機能において、用紙設定機能の各アイコンの表示を個人用に拡大表示させること等ができる（図２２参照）。
【０１１９】
ユーザ認証データ記憶部１１は、ＲＡＭ等にユーザ認証データを記憶する。ユーザ認証データはユーザ端末６０を認証するために使用される情報である。また、カレントユーザ認証データ記憶部１２は、ユーザ認証データ記憶部１１に記憶されたユーザ認証データのうち指定されたユーザ認証データを記憶している。カレントユーザ認証データ切替部１３は、ユーザの入力に応じてカレントユーザ認証データ記憶部のユーザ認証データを切替える。
【０１２０】
図１９に示すフローチャートを参照して、カレントユーザ認証データの切替処理の動作を説明する。本プログラムは、パネルカスタマイズ情報１００とパーソナルパネルカスタマイズ情報とを切替える場合や、複数のパーソナルパネルカスタマイズ情報を切替える場合に、要求により操作パネル画面制御部７により起動される。
【０１２１】
ステップＳ７０１において、画像形成装置１のＣＰＵは、ユーザ名の入力を促す画面を表示する。その後、処理をステップＳ７０２に移す。
【０１２２】
ステップ７０２に移行すると、画像形成装置１のＣＰＵは、入力されたユーザ名に対応するユーザ認証データが存在するか否かを調べる。ユーザ認証データが存在する場合は、処理をステップＳ７０３に移す。ユーザ認証データが存在しない場合は、処理をステップＳ７０４に移す。
【０１２３】
ステップＳ７０３に移行すると、画像形成装置１のＣＰＵは、入力されたユーザ名に対応するユーザ認証データをカレントユーザ認証データ記憶部１２に記憶する。その後、処理を終了する。
【０１２４】
ステップＳ７０４に移行すると、画像形成装置１のＣＰＵは、カレントユーザ認証データ記憶部１２の記憶をクリアする。その後、処理を終了する。
【０１２５】
図２０は、コピー機能の基本機能２００を表示する画面２１０について、カスタマイズ前、すなわち標準の操作パネル画面９の設定内容を示している。例えば、コピー機能の基本機能として、用紙の選択としてＡ４普通紙２１１、Ａ４カラー紙２１２、Ａ４普通紙２１３、自動用紙２１４、手差し普通紙２１５、コピー機のアイコン２１６、コピー濃度の選択としてコピー濃度２２０、自動濃度２２１、濃度指定２２２、縮小／拡大の選択として縮小／拡大２３０、１００パーセント２３１、自動倍率２３２、原稿の画質の選択として原稿の画質２４０、文字２４１、文字＋写真２４２をカスタマイズ前は標準画面として有していることを示している。
【０１２６】
図２１は、コピー機能の基本機能２００について、カスタマイズ後（１）の操作パネル画面９の設定内容を示している。例えば、コピー機能の基本機能として、選択した結果、用紙の選択はＡ４普通紙２１１と、コピー濃度の選択は自動濃度２２１、縮小／拡大の選択は１００パーセント２３１、原稿の画質の選択は文字２４１を表示するようにカスタマイズされたことを示している。選択された各機能を表示する位置をもカスタマイズすることができることを示している。
【０１２７】
図２２は、コピー機能の基本機能２００について、カスタマイズ後（２）の操作パネル画面９の設定内容を示している。例えば、コピー機能の基本機能として、選択した結果、用紙の選択だけが表示され、各々の選択表示が拡大されて、Ａ４普通紙２１１、Ａ４カラー紙２１２、Ａ４普通紙２１３、自動用紙２１４、手差し普通紙２１５、コピー機のアイコン２１６と表示するようにカスタマイズされたことを示している。
【０１２８】
ここで図１４の、複数の画像形成装置１とユーザ端末６０とからネットワークを構成する場合において、ユーザ認証データを利用した運用について説明する。
【０１２９】
ユーザ認証データを利用した運用を行うには、画像形成装置１にユーザ認証データを記憶させる。そして、画像形成装置１のユーザ認証データの切替処理（図１９）を利用することにより可能となる。例えば、装置名Ｚの画像形成装置１がユーザ名Ａのユーザ端末６０のユーザ認証データを記憶しているとする。そうすると、ＺがＡなるユーザ端末６０から受信したパネルカスタマイズ情報１００は、ＺではユーザＡのパネルカスタマイズ情報１００として、ユーザＡとパネルカスタマイズ情報１００とを対にして、パーソナルパネルカスタマイズ情報記憶部１０に記憶される（図６ステップＳ２０２参照）。そして、ユーザ認証データの切替処理で、ユーザ名Ａを入力すると、ユーザＡをカレントユーザ認証データとして記憶するので、Ｚの操作パネル画面９の構成とキーの構成は、ユーザＡのカスタマイズ設定となる（例えば、図２２に示す拡大された設定）。すなわち、ユーザＡのために専用にカスタマイズ設定された画像形成装置１として使用することができる。たとえ、サーバ５０からパネルカスタマイズ情報１００を受信したとしてもパネルカスタマイズ情報記憶部５に記憶されるだけなので、画面構成等は変わらない。設定を通常に戻したい場合には、ユーザ認証データの切替処理（図１９ステップＳ７０３参照）で、ユーザ名をクリア（例えば、０を入力）すると、カレントユーザ認証データがクリアされるので、パネルカスタマイズ情報１００で設定された画面構成等となる（図１１ステップＳ６０６参照）。
【０１３０】
ユーザ認証データを利用した運用を行うと、画像形成装置１の電源ＯＮ時に、ユーザ端末からユーザ端末のアドレス情報を受信することができる（図４ステップＳ１２３、図９）ので、ユーザ端末の構成等が変更となったとしても、画像形成装置１の立ち上げ時に対応することができる。
【０１３１】
本実施形態では、グループ名の入力だけを可能としているが、モデル名の入力を可能としてもよい。モデルが異なっていても、カスタマイズ設定が対応するならば、パネルカスタマイズ情報として、記憶することができる。
【０１３２】
本実施形態では、モデル名が異なる場合は、パネルカスタマイズ情報を記憶しないとしているが、機種やモデルとの対応表を記憶しておくことにより、機種やモデル名が異なっていても記憶することができる。例えば、縮小／拡大率を最大の設定とするとした場合には、各機種ごとの最大の拡大率が設定される。すなわち、Ａ機種モデルＡでは、２００パーセント、Ａ機種モデルＢでは、４００パーセントが最大の拡大率とすると、その最大拡大率でカスタマイズされる。また、Ａ機種では、２００パーセントが、Ｂ機種では、２５０パーセントに相当するような場合にも、対応表で対応付けることにより、機種やモデル名が異なっていても記憶することができる。
【０１３３】
また、本実施形態のような画像形成装置１の他、操作パネルを備えた他のネットワーク接続機器にも本発明を適用できる。
【０１３４】
以上、実施形態について説明したが、本発明はこれに限られるものではなく、特許請求の範囲内での種々の設計変更及び修正を加えることができる。
【図面の簡単な説明】
【０１３５】
【図１】本発明の実施形態１の画像形成装置の構成ブロックを示す図である。
【図２】本発明のパネルカスタマイズ情報のデータ構成図である。
【図３】本発明の受信データ処理フローチャートを示す図である。
【図４】本発明の送信元判別処理フローチャートを示す図である。
【図５】本発明のパネルカスタマイズ情報制御処理フローチャートを示す図である。
【図６】本発明のユーザ端末からのパネルカスタマイズ情報処理フローチャートを示す図である。
【図７】本発明のパネルカスタマイズ情報記憶処理フローチャートを示す図である。
【図８】本発明の画像形成装置でのパネルカスタマイズ情報設定更新処理フローチャートを示す図である。
【図９】本発明の画像形成装置電源ＯＮフローチャートを示す図である。
【図１０】本発明のグループ名受付処理フローチャートを示す図である。
【図１１】本発明の操作パネル操作開始処理フローチャートを示す図である。
【図１２】本発明のネットワーク構成（１）を示す図である。
【図１３】本発明のネットワーク構成（２）を示す図である。
【図１４】本発明のネットワーク構成（３）を示す図である。
【図１５】本発明の操作パネルのカスタマイズ前の用紙選択画面を示す図である。
【図１６】本発明の操作パネルのカスタマイズ後（１）の用紙選択画面を示す図である。
【図１７】本発明の操作パネルのカスタマイズ後（２）の用紙選択画面を示す図である。
【図１８】本発明の実施形態２の画像形成装置の構成ブロックを示す図である。
【図１９】本発明のカレントユーザ認証データの切替処理フローチャートを示す図である。
【図２０】本発明の操作パネルのカスタマイズ前を示す図である。
【図２１】本発明の操作パネルのパネルカスタマイズ後（１）の画面を示す図である。
【図２２】本発明の操作パネルのパネルカスタマイズ後（２）の画面を示す図である。
【符号の説明】
【０１３６】
１    画像形成装置
２    通信部
３    送信元判別部
４    パネルカスタマイズ情報制御部
５    パネルカスタマイズ情報記憶部
６    パネル画面設計情報記憶部
７    操作パネル画面制御部
８    操作パネル
９    操作パネル画面
１０  パーソナルパネルカスタマイズ情報記憶部
１１  ユーザ認証データ記憶部
１２  カレントユーザ認証データ記憶部
１３  カレントユーザ認証データ切替部
５０  サーバ
６０  ユーザ端末
７０  送信元識別情報
８０  ユーザ情報
８１  グループ名データ
８２  モデル名データ
８３  ユーザ認証データ
９０  パネルカスタマイズデータ
１００  パネルカスタマイズ情報
【図１】
2008124973.tif 000003
【図２】
2008124973.tif 000004
【図３】
2008124973.tif 000005
【図４】
2008124973.tif 000006
【図５】
2008124973.tif 000007
【図６】
2008124973.tif 000008
【図７】
2008124973.tif 000009
【図８】
2008124973.tif 000010
【図９】
2008124973.tif 000011
【図１０】
2008124973.tif 000012
【図１１】
2008124973.tif 000013
【図１２】
2008124973.tif 000014
【図１３】
2008124973.tif 000015
【図１４】
2008124973.tif 000016
【図１５】
2008124973.tif 000017
【図１６】
2008124973.tif 000018
【図１７】
2008124973.tif 000019
【図１８】
2008124973.tif 000020
【図１９】
2008124973.tif 000021
【図２０】
2008124973.tif 000022
【図２１】
2008124973.tif 000023
【図２２】
2008124973.tif 000024